(57)【要約】【課題】収容状態のディスクメディアの取出し時に取り扱い難い。【解決手段】大小２枚の板部材１ａ、１ｂを折返し部２を介して連設し、小さい他方の板部材１ｂの両側部に一対の保持部材５、５ａを、弾性を有する折曲部位６、６ａを介して連設すると共に、該保持部材５、５ａを両方の板部材１ａ、１ｂの間に配置し、他方収容状態のディスクメディアＤの露出面を隠蔽する保護部材１１を設け、弾性を有する折曲部位６、６ａにより一対の保持部材５、５ａで一方の板部材１ａを押圧することで、他方の板部材１ｂと該他方の板部材１ｂ及び一対の保持部材５、５ａの間に差し込まれたディスクメディアＤが撥ね上がって、一方の板部材１ａより離間するため、ディスクメディアＤが簡単に出入れ出来る。而も、ディスクメディアＤを収容した後に他方の板部材１ｂ及び一対の保持部材５、５ａを折り畳んで、ディスクメディアＤを一方の板部材１ａに近接させると共に、保護部材１１でディスクメディアＤの露出面を隠蔽するため、ディスクメディアＤを脱落しない様に確実に収容出来る。【選択図】        図１
2004192725.tif 000002
【特許請求の範囲】
【請求項１】
大小２枚の板部材を折返し部を介して連設し、小さい他方の板部材の両側部に一対の保持部材を、弾性を有する折曲部位を介して連設すると共に、該保持部材を両方の板部材の間に配置して収容体を形成し、他方収容状態のディスクの露出面を隠蔽する保護部材を設けたことを特徴とするディスクメディア収容ケース。
【請求項２】
保持部材における両方の板部材の折返し部側の辺を傾斜辺としたことを特徴とする請求項１記載のディスクメディア収容ケース。
【請求項３】
保持部材と一方の板部材間に撥上げ部材を配置し、該撥上げ部材を保持部材に、弾性を有する折曲部位を介して連設したことを特徴とする請求項１又は２記載のディスクメディア収容ケース。
【請求項４】
保護部材を、一方の板部材における他方の板部材とは反対側の一辺に連続形成した、先端側が他方の板部材に重なるフラップとしたことを特徴とする請求項１、２又は３記載のディスクメディア収容ケース。
【請求項５】
保護部材を、一方の板部材の両側部に連続形成した、先端側が他方の板部材に重なるフラップとしたことを特徴とする請求項１、２又は３記載のディスクメディア収容ケース。
【請求項６】
保護部材を、収容体とは別体にして、該収容体を出入自在としたカバーケースとしたことを特徴とする請求項１、２又は３記載のディスクメディア収容ケース。
【発明の詳細な説明】
【０００１】
【発明の属する技術分野】
本発明は、音楽ＣＤを含むＣＤ−ＲＯＭ、ＤＶＤディスク、ＭＯディスク等のディスクメディア用の収容ケースに関する。
【０００２】
【従来の技術】
従来、かかるディスクメディアの収容ケースには、プラスチック製ケースと紙製ケースがあり、前者は開閉蓋を取り付けたケース本体の中央に、ディスクメディアの中央孔への嵌入体が形成され、中央孔に圧入された嵌入体の弾性変形によりケース本体にディスクメディアを固定する様にしており、後者は、折り畳み可能なケースにおける側方部材の側端部に切込が形成され、該切込から、フィルム袋内に収容したディスクメディアを側方部材内に収容する様にしている。
【０００３】
研究開発段階や出願段階で先行技術調査を行っておらず、記載すべき先行技術文献を知りません。
【０００４】
【発明が解決しようとする課題】
しかし、前者の収容ケースにあっては、ディスクメディアの中央孔に対し嵌入体が緩いと蓋を開けた瞬間にディスクメディアが脱落してしまい易く、反対に固いと、外す際にディスクメディアが湾曲してしまって、ディスクメディアが破損する危険性があり、他方、後者の収容ケースにあっては、開口部を広げて指を差し込みディスクメディアを摘まんで、収容状態のディスクメディアを取り出す様にしているため、取出し作業が面倒であるなど、解決せねばならない課題があった。
【０００５】
【課題を解決するための手段】
本発明は、上記従来技術に基づく、収容状態のディスクメディアの取出し時に取り扱い難い課題に鑑み、大小２枚の板部材を折返し部を介して連設し、小さい他方の板部材の両側部に一対の保持部材を、弾性を有する折曲部位を介して連設すると共に、該保持部材を大きい一方の板部材と小さい板部材の間に配置して収容体とし、他方収容状態のディスクメディアの露出面を隠蔽する保護部材を設け、弾性を有する折曲部位により一対の保持部材で一方の板部材を押圧することで、他方の板部材が傾斜状に離間し、該他方の板部材及び一対の保持部材の間に差し込まれたディスクメディアも一方の板部材より傾斜状に離間することによって、ディスクメディアを簡単に出入れ可能にし、而もディスクメディアを収容した後に他方の板部材及び一対の保持部材を折り畳んで、ディスクメディアを一方の板部材に近接させると共に、保護部材でディスクメディアの露出面を隠蔽することによって、ディスクメディアの収容状態を確実にして、簡単に脱落しない様にして、上記課題を解決する。
【０００６】
【発明の実施の形態】
以下本発明の一実施例を図面に基づいて説明する。
図１は、本発明に係るディスクメディア収容ケースの斜視図、図２は、図１の側面図、図３は、図２のＡ−Ａ断面の拡大図、図４は、保護部材を閉じた状態のディスクメディア収容ケースの正面図、図５は、図４の側面図、図６は、図４のＢ−Ｂ断面図である。
本発明に係るディスクメディア収容ケースにおけるディスクメディアＤの収容体１は、図１〜６に示す様に、矩形状の大小２枚の板部材１ａ、１ｂを断面略レ字状になる様に折返し部２を介して連設すると共に、一方の板部材１ａに対し他方の板部材を折返し部２を中心に揺動自在としている。又、折返し部２における両方の板部材１ａ、１ｂ間に幅狭な連結部材３を設け、該連結部材３と両方の板部材１ａ、１ｂの間を折曲部位４、４ａとしている。又、一方の大きい板部材１ａは、ディスクメディアＤの全体が隠れる大きさで、他方の小さい板部材１ｂは、ディスクメディアＤの略半分が隠れる大きさとしている。
又、他方の小さい板部材１ｂの両側部、即ち短辺部に一対の保持部材５、５ａを連設すると共に、該保持部材５、５ａを両方の板部材１ａ、１ｂ間に折り込むことで、他方の板部材１ｂと保持部材５、５ａの間を折曲部位６、６ａとしている。又、他方の板部材１ｂ及び一対の保持部材５、５ａにおける、折返し部２とは反対側の縁部でディスク差込口７を形成している。
又、上記保持部材５、５ａの外周部に撥上げ部材８、８ａを連設すると共に、該撥上げ部材８、８ａを保持部材５、５ａと一方の板部材１ａの間に折り込むことで、保持部材５、５ａと撥上げ部材８、８ａの間を折曲部位９、９ａとしている。又、保持部材５、５ａにおける両方の板部材１ａ、１ｂの折返し部２側の辺を傾斜辺１０、１０ａ  とし、該傾斜辺１０、１０ａ  に上記撥上げ部材８、８ａを連設している。
【０００７】
収容体１に、収容状態のディスクメディアＤの露出面を隠蔽する保護部材１１を設け、該保護部材１１は、一方の板部材１ａにおける他方の板部材１ｂとは反対側の一辺に、連結部材１２を介して連設した、先端側が他方の板部材１ｂに重なるフラップ１３とし、連結部材１２と一方の板部材１ａ及びフラップ１３の間を折曲部位１４、１４ａ  としている。
又、フラップ１３及び収容体１（他方の板部材１ｂ）に、例えば接離自在テープ１５、１５ａ  の様な、両者を固定する手段を講じるのが好ましい。
【０００８】
図７は、図１のディスクメディア収容体のブランク１６の平面図であり、該ブランク１１を適宜折曲して本発明に係るディスクメディア収容体を形成する様にしている。
具体的には、一方の板部材１ａに他方の板部材１ｂ及びフラップ１３を、連結部材３、１２を介して連設すると共に、両方の板部材１ａ、１ｂと連結部材３の間を谷折り線Ｌ１、Ｌ１ａ、連結部材１２とフラップ１３及び一方の板部材１ａの間を谷折り線Ｌ４、Ｌ４ａとし、他方の板部材１ｂの両短辺部に台形板部材１７、１７ａ  を連設すると共に、他方の板部材１ｂと台形板部材１７、１７ａ  の間を谷折り線Ｌ２、Ｌ２ａとして、略Ｔ型状のブランク１６を形成している。又、台形板部材１７、１７ａ  における一方の板部材１ａ側の角部付近から先端辺部の中間部に至る傾斜状の山折り線Ｌ３、Ｌ３ａを形成して、該台形板部材１７、１７ａ  を保持部材５、５ａ及び撥上げ部材８、８ａに分割している。
そして、上記ブランク１６を、先ず他方の板部材１ｂの上方に保持部材５、５ａが来る様に、他方の板部材１ｂ及び保持部材５、５ａの間の谷折り線Ｌ２、Ｌ２ａで折曲し、次に保持部材５、５ａの上方に撥上げ部材８、８ａが来る様に、保持部材５、５ａ及び撥上げ部材８、８ａの間の山折り線Ｌ３、Ｌ３ａで折曲し、次に一方の板部材１ａの上方に他方の板部材１ｂが来る様に、連結部材３と一方の板部材１ａ及び他方の板部材１ｂの間の谷折り線Ｌ１、Ｌ１ａで折曲し、最後にフラップ１３の先端が他方の板部材１ｂ上に重なる様に、連結部材１２とフラップ１３及び一方の板部材１ａの間の谷折り線Ｌ４、Ｌ４ａで折曲して、本発明に係るディスクメディア収容体を形成する様にしている。
尚、上記ブランク１６の素材には限定しないが、紙製とするのが好ましい。
【０００９】
本発明に係るディスクメディア収容ケースの他の実施例にあっては、図８に示す様に、保護部材１１を、一方の板部材１ａの両側部に連続形成した、先端側が他方の板部材１ｂに重なるフラップ１８、１８ａ  としたり、或いは、図９、１０に示す様な、収容体１とは別体の、薄型にして収容体１を出入可能なカバーケース１９としている。図９に示すカバーケース１９にあっては、該カバーケース１９の側面に収容体１の出入口２０を形成して、カバーケース１９に対し出入口２０から収容体１を出入可能としている。図１０に示すカバーケース１９にあっては、一方の板部材１ａより大きい矩形状の底板部材２１の３辺部に低い側壁部材２２、２２ａ  、２２ｂ  を立設した収容体１の収容ケース部２３と、底板部材２１の残る一辺に連結部材２４を介して連設した蓋板部材２５の残る３辺部に側壁部材２６、２６ａ  、２６ｂ  を垂設した蓋部２７により構成し、該蓋部２７を閉めた状態で、収容ケース部２３側の側壁部材２２、２２ａ  、２２ｂ  の外側に、蓋部２７における側壁部材２６、２６ａ  、２６ｂ  が位置する様に成っている。
【００１０】
尚、他方の板部材１ｂ及び保持部材５、５ａにおける内面、即ちディスクメディアＤとの接触面のうち、少なくとも保持部材５、５ａ側にフェルト等の軟質で薄厚な保護材２８を貼着するのが好ましい。
又、ディスクメディアＤと同梱される説明書、歌詞カード等の量、厚さに応じて、上記の様に、一方の板部材１ａと他方の板部材１ｂの間に連結部材３を介設しているが、両方の板部材１ａ、１ｂを直接連設すると共に、一方の板部材１ａと他方の板部材１ｂの間を谷折り線Ｌ１としても良い。
【００１１】
尚、上記実施例においては、収容体１における保持部材５、５ａに撥上げ部材８、８ａを連続形成しているが、無くても良く、この場合、保持部材５、５ａにおける一方の板部材１ａと他方の板部材１ｂの連設部位側の辺を傾斜辺１０、１０ａ  とするのが好ましい。
要するに、本発明に係るディスクメディア収容ケースは、大小２枚の板部材１ａ、１ｂを折返し部２を介して連設し、小さい他方の板部材１ｂの両側部に一対の保持部材５、５ａを、弾性を有する折曲部位６、６ａを介して連設すると共に、該保持部材５、５ａを大きい一方の板部材１ａと小さい他方の板部材１ｂの間に配置した収容体１と、該収容体１に対し一体又は別体の、収容状態のディスクメディアＤの露出面を隠蔽する保護部材１１を有しておれば良い。更に、小さい板部材１ｂ及び一対の保持部材５、５ａの縁部で形成するディスク差込口７の幅を、他方の板部材１ｂ及び一対の保持部材５、５ａの間の折曲部位６、６ａの上方部位、即ち、ディスク差込口７側の部位でディスクメディアＤの両側部をホールドするために、ディスクメディアＤの直径より若干広く設定し、而もディスク差込口７の両端部を、収容状態におけるディスクメディアＤの中心を通る、上記折曲部位６、６ａに対し直角な線より上方、即ちディスクメディアＤの突端側に配置する様にしている。
【００１２】
次に本発明に係るディスクメディア収容ケースの作用について説明する。
図１〜６の収容ケースにあってはフラップ１３を、図８の収容ケースにあってはフラップ１８、１８ａ  を開き、図９、１０の収容ケースにあっては、カバーケース１９から収容体１を取り出すと、折り畳み状態の保持部材５、５ａ及び撥上げ部材８、８ａと他方の板部材１ｂ及び保持部材５、５ａとの折曲部位６、６ａ、９、９ａが弾性復元して、略密接状態であった各隣接部材間の角度が拡開すると共に、撥上げ部材８、８ａで一方の板部材１ａが押されて、他方の板部材１ｂと一緒にディスクメディアＤが撥ね上がり傾斜状態になって、ディスクメディアＤに密接していた保持部材５、５ａが離間するため、ディスクメディアＤが取り出し易くなる。
これは、隣接する各部材同志間には、ある程度の角度があって密接せず、而も各折曲部位６、６ａ、９、９ａに弾性があるため、保護部材１１による規制を解除すれば、自動的に初期形態に復帰しようとして、他方の板部材１ｂと一緒にディスクメディアＤが撥ね上がる様になっている。
【００１３】
【発明の効果】
要するに本発明は、大小２枚の板部材１ａ、１ｂを折返し部２を介して連設し、小さい他方の板部材１ｂの両側部に一対の保持部材５、５ａを、弾性を有する折曲部位６、６ａを介して連設すると共に、該保持部材５、５ａを両方の板部材１ａ、１ｂの間に配置したので、ディスクメディアＤは、他方の板部材１ｂ及び一対の保持部材５、５ａの間に差し込むと共に、大小２枚の板部材１ａ、１ｂ間に位置するため、一部が突出状態のまま収容状態を維持することが出来る。又、他方収容状態のディスクメディアＤの露出面を隠蔽する保護部材１１を設けたので、かかるディスクメディア収容ケースからのディスクメディアＤの脱落を完全に防止することが出来ると共に、収容されたディスクメディアＤの破損、損傷を防止することが出来る。而も、保護部材１１を外せば、折曲部位６、６ａの弾性復元力により一対の保持部材５、５ａと他方の板部材１ｂの間の角度が拡がり、一対の保持部材５、５ａで一方の板部材１ａを押圧して、他方の板部材１ｂ及びディスクメディアＤを撥ね上げて、一方の板部材１ａより離間させることが出来るため、かかる収容体１に対するディスクメディアＤの出入れを簡単に行うことが出来る。
又、１枚のブランク１６、望ましくは紙製のブランク１６を適宜折曲すれば、本発明に係るディスクメディア収容ケースを形成出来るため、該ディスクメディア収容ケースの形成からディスクメディアＤの差込み収容までの作業を一連的に行うことが出来る。
又、一対の保持部材５、５ａによる一方の板部材１ａの押圧時に、一対の保持部材５、５ａの外周部における両方の板部材１ａ、１ｂの折返し部２側の部位が一方の板部材１ａに対し摺接状態になることから、保持部材５、５ａにおける両方の板部材１ａ、１ｂの折返し部２側の辺を傾斜辺１０、１０ａ  としたので、該傾斜辺１０、１０ａ  と他方の板部材１ｂ及びディスクメディアＤの撥上げ中心である折返し部２の間が保持部材５、５ａの内端側へ序々に広くなるため、一対の保持部材５、５ａによる押圧が他方の板部材１ｂ及びディスクメディアＤの撥上げの邪魔にならない様にすることが出来る。
又、保持部材５、５ａと一方の板部材１ａの間に撥上げ部材８、８ａを配置し、該撥上げ部材８、８ａを保持部材５、５ａに、弾性を有する折曲部位９、９ａを介して連設したので、他方の板部材１ｂ及びディスクメディアＤの撥上げを確実に行うことか出来る。
又、保護部材１１を、一方の板部材１ａにおける他方の板部材１ｂとは反対側の一辺に連続形成した、先端側が他方の板部材１ｂに重なるフラップ１３としたり、一方の板部材１ａの両側部に連続形成した、先端側が他方の板部材１ｂに重なるフラップ１８、１８ａ  としたり、或いは、収容体１とは別体にして、該収容体１を出入自在としたカバーケース１９としたので、収容されたディスクメディアＤの破損、損傷を簡単な構成で確実に行うことか出来る等その実用的効果甚だ大である。
【図面の簡単な説明】
【図１】本発明に係るディスクメディア収容ケースの斜視図である。
【図２】図１の側面図である。
【図３】図２のＡ−Ａ断面の拡大図である。
【図４】保護部材を閉じた状態のディスクメディア収容ケースの正面図である。
【図５】図４の側面図である。
【図６】図４のＢ−Ｂ断面図である。
【図７】ディスクメディア収容ケースを形成するブランクの平面図である。
【図８】ディスクメディア収容ケースの他の実施例を示す斜視図である。
【図９】ディスクメディア収容ケースの他の実施例を示す斜視図である。
【図１０】ディスクメディア収容ケースの他の実施例を示す斜視図である。
【符号の説明】
１        収容体
１ａ、１ｂ    板部材
２        折返し部
５、５ａ    保持部材
６、６ａ    折曲部位
８、８ａ    撥上げ部材
９、９ａ    折曲部位
１０、１０ａ    傾斜辺
１１        保護部材
１３        フラップ
１８、１８ａ    フラップ
１９        カバーケース
Ｄ        ディスクメディア
【図１】
2004192725.tif 000003
【図２】
2004192725.tif 000004
【図３】
2004192725.tif 000005
【図４】
2004192725.tif 000006
【図５】
2004192725.tif 000007
【図６】
2004192725.tif 000008
【図７】
2004192725.tif 000009
【図８】
2004192725.tif 000010
【図９】
2004192725.tif 000011
【図１０】
2004192725.tif 000012